(57)【要約】【課題】スクラップスペースが広くがとれスクラップシュートを急傾斜角度とし切断したスクラップを型外に円滑に排出するようにしたプレス型構造を提供する。【解決手段】固定の下型１に対して下降及び上昇する上型２とからなり、下型１にはワークの端縁を切断するための下トリム刃３を備えており、上型２には下型１に載置されたワークを押さえるパッド５と下型１に備えたカム台９によって進退案内し下トリム刃３とによってワークの端縁を切断するための上トリム刃７を有している受動カム６とを備え、カム台９の下方に切断したスクラップを型外に排出するスクラップシュート４を配置したプレス型において、カム台９を下型１に受動カム６を進退案内する正規位置から上方向に回転可能に軸支し、下型側にカム台９を上方回転する持ち上げリフタ１２を備え、上型２に上方回転したカム台９を正規位置に戻すためのカム台戻し用カム１３を備えた。【選択図】図１
2008260032.tif 000002
【特許請求の範囲】
【請求項１】
固定の下型と、この下型に対して下降動及び上昇動する可動の上型とからなり、前記下型にはワークの端縁を切断するための下トリム刃を備えており、前記上型には前記下型に載置されたワークを押さえるパッドと前記下型に備えたカム台によって進退案内し前記下トリム刃とによってワークの端縁を切断するための上トリム刃を有している受動カムとを備え、前記カム台の下方に前記切断したスクラップを型外に排出するスクラップシュートを配置したプレス型において、前記カム台を下型に前記受動カムを進退案内する正規位置から上方向に回転可能に軸支し、下型側に前記カム台を上方回転する持ち上げリフタを備え、上型に上方回転したカム台を前記正規位置に戻すためのカム台戻し用カムを備えたことを特徴とするプレス型構造。
【発明の詳細な説明】
【技術分野】
【０００１】
本発明は、ワークの端縁を切断したスクラップを型外に排出するスクラップシュートを備えたプレス型構造に関するものである。
【背景技術】
【０００２】
従来、図５で示すように、固定の下型１と、この下型１に対して下降動及び上昇動する可動の上型２とからなり、前記下型１にはワークの端縁を切断するための下トリム刃３と、この下トリム刃３の下部にワークの端縁を切断したスクラップＳを型外に排出するスクラップシュート４と、このスクラップシュート４の上方に固設されたカム台９とを備えており、前記上型２には前記下型１に載置されたワークを押さえるパッド５と、傾斜カム面８と前記カム台９とによって進退案内され、前記下トリム刃３とによってワーク端縁を切断するための上トリム刃７を有している受動カム６とを備えたプレス型を用いている。
【０００３】
このプレス型は、上型２の下死点で下トリム刃３と上トリム刃７とによりワークの端縁を切断したスクラップＳをスクラップシュート４上に落下しスクラップシュート４の傾斜角度で滑動して型外に排出するものであるが、スクラップシュート４はカム台９の直下に配置されているため、スクラップスペースが狭く、そのためスクラップシュート４の傾斜角度を大きく設定することができず、スクラップＳがカム台９に引っかかったり、また、スクラップシュート４の緩傾斜角度によりスムースな滑動が得られずクラップを型外に円滑に排出することができないという問題点を有していた。
【特許文献１】特開平８−１３２１５０公報
【特許文献２】特開平９−１２２７９３公報
【特許文献３】特開平１０−３０５３２７公報
【特許文献４】特開２００３−８８９２３公報
【特許文献５】特開２００５−２０５５５０公報
【発明の開示】
【発明が解決しようとする課題】
【０００４】
本発明の目的は、スクラップスペースが広くがとれスクラップシュートを急傾斜角度とすることを可能とし切断したスクラップを型外に円滑に排出するようにしたプレス型構造を提供することである。
【課題を解決するための手段】
【０００５】
上記の目的を達成するための本発明は、請求項１に記載の通り、固定の下型と、この下型に対して下降動及び上昇動する可動の上型とからなり、前記下型にはワークの端縁を切断するための下トリム刃を備えており、前記上型には前記下型に載置されたワークを押さえるパッドと前記下型に備えたカム台によって進退案内し前記下トリム刃とによってワークの端縁を切断するための上トリム刃を有している受動カムとを備え、前記カム台の下方に前記切断したスクラップを型外に排出するスクラップシュートを配置したプレス型において、前記カム台を下型に前記受動カムを進退案内する正規位置から上方向に回転可能に軸支し、下型側に前記カム台を上方回転する持ち上げリフタを備え、上型に上方回転したカム台を前記正規位置に戻すためのカム台戻し用カムを備えたものである。
【発明の効果】
【０００６】
本発明によると、上型の下死点でワーク端縁を切断すると同時にカム台が上方回転するため、スクラップスペースが広くがとれスクラップシュートを急傾斜角度で配置することができ、ワーク端縁を切断したスクラップをスクラップシュート上に確実に落下させスクラップシュート上に落下したスクラップをスクラップシュートの急傾斜角度により型外に円滑に排出する効果を有している。
【発明を実施するための最良の形態】
【０００７】
以下本発明を実施するための最良の形態について図面に基づいて説明する。基本的な型構造としては図５で示す従来のプレス型と同じである。すなわち。図１及び図３において、１は固定の下型であり、２は前記下型１に対して下降及び上昇する上型である。前記下型１にはワークの端縁を切断するための下トリム刃３と切断したスクラップＳを型外に排出するためのスクラップシュート４と、スクラップシュート４の上方にカム台９とを備えている。
【０００８】
一方、前記上型２には下型１上にワーク押さえるためのパッド５と、前記下トリム刃３とによってワークの端縁を切断するための上トリム刃７を有している受動カム６とが設けられている。この受動カム６は上型２に形成されているカム面８と対接しており、上型２の下降により受動カム６を前記カム面８とカム台９とにより下トリム刃３に向かって前進作動して上トリム刃７と下トリム刃３とでワークの端縁を切断する。
【０００９】
本発明は上記のプレス型において、前記カム台９を下型１に受動カム６を進退案内する正規位置から上方向に回転可能に回転軸１０で軸支し、下型１側に前記カム台９を上方回転する持ち上げリフタ１２を備え、上型２に上方回転したカム台９を前記正規位置に戻すためのカム台戻し用カム１３を備えた構造である。尚、カム台９にはカム台戻し用カム１３に接触するローラ１１が設けられている。
【００１０】
本発明の動作について説明する。図１及び図２は上型２の下死点である。この時、持ち上げリフタ１２は下方に縮小しており、カム台９は受動カム６を下トリム刃３に向かって前進作動する正規位置に戻され、カム台戻し用カム１３は鉛直面１３ａがカム台９に設けられているローラ１１に接触してカム台９の上方回転を拘束規制した状態でパッド５により下型１上に押さえられたワークを所定の形状にプレス加工し、上型２に形成されているカム面８とカム台９とにより受動カム６を下トリム刃３に向かって前進作動してワークの端縁を切断する。
【００１１】
前記ワークをプレス加工しワークの端縁を切断した後に上型２は図３及び図４で示すように上死点に上昇する。この上型２の上昇に伴って持ち上げリフタ１２が上方に伸長してカム台９を持ち上げる。この持ち上げリフタ１２で持ち上げられるカム台９は回転軸１０を回転中心にして上方回転し、上型２と一体に上昇するカム台戻し用カム１３の先端の傾斜面１３ｂがローラ１１に接触してカム台９を上方回転した状態に保持させ、切断したスクラップＳをスクラップシュート４上に落下して型外に排出する。
【００１２】
そこで、本発明は、切断したスクラップＳをスクラップシュート４上に落下して型外に排出する時にはカム台９が上方回転した状態であるため、スクラップスペースが広くとれスクラップシュート４を急傾斜角度で配置することができる。
【００１３】
従って、切断されたスクラップＳはカム台９に引っかかることなくスクラップシュート４上に落下し、急傾斜角度で配置したスクラップシュート４によりスムースに滑って型外に排出される。
【００１４】
次のワークのプレス加工で上型１が上死点から下降するがその時には、持ち上げリフタ１２が下方へ縮小状態となり、カム台戻し用カム１３の先端の傾斜面１３ｂがカム台９のロール１１を押して上方回転位置にあるカム台９を下方回転して受動カム６を下トリム刃３に向かって前進作動する正規位置に戻され、上型２の下死点で前述の通りワークのプレス加工とワークの端縁の切断が行われ、上型２の上昇で持ち上げリフタ１２の上方へ伸長してカム台９を上方回転して切断したスクラップＳをスクラップシュート４上に落下して型外に排出する。
【００１５】
このように本発明は、従来の基本的な構造において、カム台９を受動カム６を下トリム刃３に向かって前進作動する正規位置と上方へ回転するようにした簡単な構造で実現することができ、従来の問題になっていたスクラップＳの排出処理が改善され生産性向上が図れる利点を有している。
【図面の簡単な説明】
【００１６】
【図１】本発明のプレス型の下死点状態の断面図
【図２】図１のＡ矢視図
【図３】本発明のプレス型の上死点状態の断面図
【図４】図２のＢ矢視図
【図５】従来のプレス型の断面図
【符号の説明】
【００１７】
１    下型
２    上型
３    下トリム刃
４    スクラップシュート
５    パッド
６    受動カム
７    上トリム刃
８    カム面
９    カム台
１０    回転軸
１１    ローラ
１２    持ち上げリフタ
１３    カム台戻し用カム
【図１】
2008260032.tif 000003
【図２】
2008260032.tif 000004
【図３】
2008260032.tif 000005
【図４】
2008260032.tif 000006
【図５】
2008260032.tif 000007